(57)【要約】【課題】レンズ鏡筒およびこれを備えたカメラの強度を向上できる。【解決手段】レンズ鏡筒は、先端部材１１、３１と、レンズフード３０と、摺動部材３２ａとを備える。先端部材１１、３１は、光軸方向の被写体側に配置されており、光学系が内包されている。レンズフード３０は、収納位置と使用位置との間を光軸方向に移動する。摺動部材３２ａは、レンズフード３０の内周面３０ａ側に設けられており、レンズフード３０が収納位置から使用位置へ移動すると、先端部材１１、３１の外周面３１ｂに接触した状態で、光軸方向において被写体側へ移動する。レンズフード３０が収納位置にある状態において、レンズフード３０の内周面３０ａと先端部材１１、３１の外周面３１ｂとの間に形成された隙間部の少なくとも一部は、光軸方向において被写体側に向かって間隔が狭くなっている。【選択図】図６
2017120386.tif 000002
【特許請求の範囲】
【請求項１】
光軸方向の被写体側に配置されており、光学系が内包された先端部材と、
前記先端部材に取り付けられており、所定の収納位置と、前記収納位置よりも前記被写体側へ突出した状態の使用位置との間を前記光軸方向に移動するレンズフードと、
前記レンズフードの内周面側に設けられており、前記レンズフードが前記収納位置から前記使用位置へ移動すると、前記先端部材の外周面に接触した状態で、前記光軸方向において前記被写体側へ移動する摺動部材とを備え、
前記レンズフードが前記収納位置にある状態において、前記レンズフードの前記内周面と前記先端部材の前記外周面との間に形成された隙間部の少なくとも一部は、前記光軸方向において前記被写体側に向かって間隔が狭くなっている、レンズ鏡筒。
【請求項２】
前記先端部材の前記外周面は、前記光軸方向に対して斜めに配置された傾斜面を有し、
前記隙間部の前記一部は、前記レンズフードの前記内周面と前記傾斜面との間に形成されている、
請求項１に記載のレンズ鏡筒。
【請求項３】
前記先端部材の前記外周面には、前記レンズフードが前記使用位置にある状態において、前記摺動部材が配置される凹部が形成されている、
請求項１または２に記載のレンズ鏡筒。
【請求項４】
前記レンズフードが前記収納位置にある状態において、
前記レンズフードの前記内周面と、前記内周面と対向する前記凹部の面との間隔は、前記摺動部材が設けられた前記レンズフードの前記内周面と、前記先端部材の前記外周面との間隔と、ほぼ同等の大きさである、
請求項３に記載のレンズ鏡筒。
【請求項５】
前記摺動部材の材料は、フェルト材である、
請求項１から４のいずれか１項に記載のレンズ鏡筒。
【請求項６】
前記レンズフードが前記収納位置にある状態において、前記摺動部材は、前記傾斜面と接触している、請求項２から５のいずれか１項に記載のレンズ鏡筒。
【請求項７】
請求項１から６のいずれか１項に記載のレンズ鏡筒と、
前記レンズ鏡筒が装着されるカメラ本体とを備えたカメラ。
【発明の詳細な説明】
【技術分野】
【０００１】
本開示は、レンズ鏡筒およびこれを備えたカメラに関する。
【背景技術】
【０００２】
レンズ鏡筒には、フレアやゴーストの原因となる不要光を遮断するために、その先端部にレンズフードが装着されることがある。レンズフードが装着されたレンズ鏡筒には、レンズフードによって不要光のほとんどが遮断されるため、フレアやゴーストの発生を抑制することができる。  例えば、特許文献１には、鏡筒前枠にバヨネット結合されたフードバヨネット部材に、回転可能かつ係止可能に取り付けられたフード本体と、フード本体に光軸方向にスライド可能かつ係止可能に取り付けられた遮光板とを備えたレンズフードについて開示されている。
【０００３】
このレンズフードは、使用位置へ移行する際に被写体側へ繰り出されると、遮光板に設けられた弾性突部がフード本体に光軸方向に沿って設けられたガイド溝に沿って移動する。このガイド溝は、幅方向（周方向）における寸法が拡大した部分を有しており、弾性突部が溝幅の拡大部分に嵌まり込むことでレンズフードを保持する。
【先行技術文献】
【特許文献】
【０００４】
【特許文献１】特開平６−８２８８０号公報
【発明の概要】
【発明が解決しようとする課題】
【０００５】
しかしながら、上記従来のレンズフードの保持構造では、強度面で課題が生ずる場合ある。
【課題を解決するための手段】
【０００６】
本開示に係るレンズ鏡筒は、先端部材と、レンズフードと、摺動部材とを備えている。先端部材は、光軸方向の被写体側に配置されており、光学系が内包されている。レンズフードは、先端部材に取り付けられている。レンズフードは、所定の収納位置と、収納位置よりも被写体側へ突出した状態の使用位置との間を光軸方向に移動する。摺動部材は、レンズフードの内周面側に設けられている。摺動部材は、レンズフードが収納位置から使用位置へ移動すると、先端部材の外周面に接触した状態で、光軸方向において被写体側へ移動する。レンズフードが収納位置にある状態において、レンズフードの内周面と先端部材の外周面との間に形成された隙間部の一部は、光軸方向において被写体側に向かって間隔が狭くなっている。
【０００７】
本開示のカメラは、本開示のレンズ鏡筒と、レンズ鏡筒が装着されるカメラ本体とを備える。
【発明の効果】
【０００８】
本開示に係るレンズ鏡筒およびカメラは、強度面の負荷を低減できる。
【図面の簡単な説明】
【０００９】
【図１】図１は、本開示の一実施形態に係るレンズフードの保持構造を含むレンズ鏡筒とカメラ本体によって構成されるカメラの構成を示す全体斜視図である。
【図２Ａ】図２Ａは、図１のレンズ鏡筒の光学系が広角側（ＷＩＤＥ位置）にある状態を示す斜視図である。
【図２Ｂ】図２Ｂは、図２Ａのレンズ鏡筒の光学系が望遠側（ＴＥＬＥ位置）へ移動した状態を示す斜視図である。
【図３Ａ】図３Ａは、図２Ａのレンズ鏡筒の断面図である。
【図３Ｂ】図３Ｂは、図２Ｂのレンズ鏡筒の断面図である。
【図４】図４は、図１のレンズ鏡筒を構成する各部品の分解斜視図である。
【図５】図５は、図１のレンズ鏡筒の要部の構成を示す分解斜視図である。
【図６】図６は、図１のレンズ鏡筒の先端部に装着されたレンズフードが収納位置にある状態を示す断面図である。
【図７】図７は、図１のレンズ鏡筒の先端部に装着されたレンズフードが使用位置にある状態を示す断面図である。
【図８Ａ】図８Ａは、図１のレンズ鏡筒の先端部に装着されたレンズフードが収納位置にある状態における摺動部材の位置を模式的に示す断面図である。
【図８Ｂ】図８Ｂは、図１のレンズ鏡筒の先端部に装着されたレンズフードが使用位置にある状態における摺動部材の位置を模式的に示す断面図である。
【図９】図９は、本開示の他の実施形態に係るレンズフードの保持構造を備えたレンズ鏡筒の構成を示す分解斜視図である。
【図１０】図１０は、本開示の他の実施形態に係るレンズ鏡筒の先端部に装着されたレンズフードが収納位置にある状態における摺動部材の位置を模式的に示す断面図である。
【発明を実施するための形態】
【００１０】
以下、適宜図面を参照しながら、実施形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１１】
なお、出願人は、当業者が本開示を十分に理解するために添付図面および以下の説明を提供するのであって、これらによって特許請求の範囲に記載の主題を限定することを意図するものではない。
【００１２】
（実施形態１）
本開示の一実施形態に係るレンズ鏡筒およびこれを備えたカメラについて、図１〜図８Ｂを用いて説明する。
【００１３】
１．カメラの構成
図１に示すように、本実施形態に係るカメラ１００は、カメラ本体５０と、レンズ鏡筒１０とを備えている。カメラ本体５０は、撮像素子と、記憶部と、制御部とを備えている。撮像素子は、レンズ鏡筒１０からの光を電気信号に変換する。制御部は、撮像素子やレンズ鏡筒１０に含まれる光学系を制御する。記憶部は、撮像素子によって生成された電気信号をデジタルデータとして記憶する。
【００１４】
２．レンズ鏡筒の構成
本実施形態に係るレンズ鏡筒１０は、図３Ａおよび図３Ｂに示すレンズＬ１〜Ｌ１８を含む光学系と、図５に示すレンズフード３０と、フィルタリング３１と、摺動部材３２ａおよび摺動部材３２ｂとを有している。レンズ鏡筒１０は、図１に示すように、カメラ本体５０のマウント部に装着される。
【００１５】
ここで図１に示すＸ軸方向は、レンズ鏡筒１０の光学系の光軸方向である。以下、光軸方向における被写体側とは、カメラ本体５０の像面側と反対側を意味する。像面側とは、撮像素子のある側である。以下、レンズ鏡筒１０の光学系の光軸方向を、光学Ｘ軸方向とする。
【００１６】
レンズ鏡筒１０は、図２Ａおよび図２Ｂに示すように、内蔵する光学系が、広角側（ＷＩＤＥ位置）と望遠側（ＴＥＬＥ位置）との間を光軸Ｘ方向へ移動する。これにより変倍撮影を行うことができる。
【００１７】
レンズ鏡筒１０は、図２Ａに示すＷＩＤＥ位置にある状態では、図３Ａに示すように、後述する光学系の１群ユニット１１が外装ユニット１９の内周面側に収納された状態となる。
【００１８】
一方、レンズ鏡筒１０は、図２Ｂに示すＴＥＬＥ位置にある状態では、図３Ｂに示すように、１群ユニット１１が光軸Ｘ方向に沿って被写体側へ移動し、外装ユニット１９から被写体寄りに突出した状態となる。
【００１９】
２−１．光学系の構成
レンズ鏡筒１０の光学系は、図４に示すように、１群ユニット１１と、２群ユニット１２と、カム枠１３と、固定枠１４と、３群ユニット１５と、４群ユニット１６と、５群ユニット１７と、マウントベース１８と、外装ユニット１９と、後枠２０等とによって構成されている。
【００２０】
１群ユニット１１は筒状の部材である。図５に示すように、１群ユニット１１の外周面には、ねじ部１１ａとして螺旋状の溝が形成されている。そして、図３Ａおよび図３Ｂに示すように、１群ユニット１１の内部であって被写体側には、レンズＬ１〜レンズＬ３が配置されている。１群ユニット１１は、被写体側にレンズＬ１〜レンズＬ３を保持した状態で、光軸Ｘ方向に沿って前進および後退する。これにより、レンズＬ１〜Ｌ１８の間の距離が変化して、広角撮影および望遠撮影を行うことができる。
【００２１】
２群ユニット１２は、図３Ａ、図３Ｂ、および図４に示すように、１群ユニット１１の内周面側に配置された円筒状の部材である。２群ユニット１２は、レンズＬ４〜レンズＬ９を保持している。レンズＬ４〜レンズＬ９は、レンズＬ１〜レンズＬ３よりも光軸Ｘ方向における像面側に配置されている。
【００２２】
３群ユニット１５は、図３Ａおよび図３Ｂに示すように、レンズＬ１０〜レンズＬ１５を保持している。３群ユニット１５は、２群ユニット１２よりも光軸Ｘ方向における像面側に配置されている。さらに３群ユニット１５は、図４に示すように、円筒状の４群ユニット１６の内周側に配置されている。３群ユニット１５は、アクチュエータによって駆動されることで、レンズＬ１０〜レンズＬ１５を保持した状態で、光軸Ｘ方向に前後に移動する。
【００２３】
４群ユニット１６は、略円筒形状の部材である。４群ユニット１６は、図３Ａおよび図３Ｂに示すように、レンズＬ１６を保持している。そして４群ユニット１６は、図４に示すように、光軸Ｘ方向における被写体側から見て、３群ユニット１５の下流側に配置されている。レンズＬ１６は、レンズＬ１０〜レンズＬ１５よりも光軸Ｘ方向における像面側に配置されている。
【００２４】
５群ユニット１７は、図３Ａおよび図３Ｂに示すように、レンズＬ１７およびレンズＬ１８を保持している。５群ユニットは、図４に示すように、円筒状の４群ユニット１６の内周側に配置されている。レンズＬ１７およびレンズＬ１８は、レンズＬ１６よりも光軸Ｘ方向における像面側に配置されている。５群ユニット１７は、光軸Ｘ方向に移動可能である。具体的には５群ユニット１７は、レンズＬ１７およびレンズＬ１８を保持した状態で、アクチュエータによって駆動されることで、光軸Ｘ方向に前後に移動する。
【００２５】
カム枠１３は、図４に示すように、円筒状の部材である。カム枠１３には、カム溝が形成されている。カム枠１３は、２群ユニット１２と、３群ユニット１５と、４群ユニット１６と、固定枠１４との外周面側に配置されている。そして４群ユニット１６の外周面に設けられたカムピンが、カム枠１３のカム溝に嵌合される。
【００２６】
４群ユニット１６のカムピンは、回転駆動源から付与される回転駆動力を受けて、カム溝に沿って移動する。これにより１群ユニット１１から５群ユニット１７を光軸Ｘ方向に前後に移動させることができる。１群ユニット１１から５群ユニット１７に含まれるレンズＬ１〜レンズＬ１８間の距離を調整できるため、広角撮影や望遠撮影等を行うことができる。
【００２７】
固定枠１４は、図４に示すように、円筒状の部材である。固定枠１４は、３群ユニット１５および４群ユニット１６の外周側に配置されている。固定枠１４は、カム枠１３の内周側に配置されている。
【００２８】
マウントベース１８は、図４に示すように、レンズ鏡筒１０のベースとなる略円筒状の部材である。マウントベース１８の内周面側には、４群ユニット１６が固定されている。また、マウントベース１８には、相対回転可能な状態でカム枠１３が取り付けられる。
【００２９】
外装ユニット（前枠）１９は、図２Ａおよび図４に示すように、レンズ鏡筒１０の外装部分を構成する円筒状の部材である。外装ユニット１９の外周面には、円環状のフォーカスリング、ズームリング等が回転可能な状態で取り付けられている。
【００３０】
後枠２０は、外装ユニット１９の、像面側の端部に取り付けられている。後枠２０は、外装ユニット１９とともにレンズ鏡筒１０の外装部分を構成している。そして後枠２０は、マウントベース１８および外装ユニット１９に対して相対回転するように取り付けられている。
【００３１】
また、後枠２０は、図３Ａおよび図３Ｂに示す回路基板２５と、回路基板２５に電気的に接続されたフレキシブル基板及びスイッチ等とを内包している。
【００３２】
なお図２Ａおよび図２Ｂに示すように、後枠２０の外周面には、三脚座２１が取り付けられる。三脚座２１は、三脚が接続される台座部分である。
【００３３】
また図２Ａおよび図２Ｂに示すように、後枠２０の外周面には、三脚ロックねじ２２が取り付けられる。後枠２０がマウントベース１８や外装ユニット１９に対して相対回転可能な状態で取り付けられているため、三脚ロックねじ２２は、その後枠２０の相対回転を所定の位置において規制する。具体的には、三脚ロックねじ２２は、光軸Ｘ方向に交差する方向に押圧力を付与することで後枠２０の相対回転を規制する。
【００３４】
２−２．フィルタリングの構成
フィルタリング３１は、図５に示すように、円筒状の部材である。フィルタリング３１の外径は、レンズフード３０の内径よりも若干小さい。また、フィルタリング３１は、内周面３１ａと、外周面３１ｂとを有している。内周面３１ａの、光軸Ｘ方向における像面側寄りの位置には、ねじ部３１ａａとして螺旋状の溝が形成されている。フィルタリング３１は、１群ユニット１１の光軸Ｘ方向における被写体側の先端部分に設けられている。より具体的には、フィルタリング３１のねじ部３１ａａと１群ユニット１１のねじ部１１ａとを螺合させることで、フィルタリング３１を１群ユニット１１の被写体側の先端部に保持している。フィルタリング３１は、例えば１群ユニット１１のレンズＬ１を保護するために用いられる。またフィルタリング３１は、例えばレンズフード３０を取り付けるためのベースとして用いられる。
【００３５】
ここでフィルタリング３１と１群ユニット１１とは、本開示の先端部材を構成する。フィルタリング３１と１群ユニット１１とは機械的に分離可能な構成であってもよく、一体に形成されていてもよい。本実施形態では、フィルタリング３１と１群ユニット１１とは機械的に分離可能な構成である。
【００３６】
さらにフィルタリング３１の外周面３１ｂは、図８Ａおよび図８Ｂに示すように、像面側から被写体側へ向かう順に、第１保持部３１ｂｂと、傾斜面３１ｂａと、凸面３１ｂｃと、第２保持部３１ｂｄ（凹部）と、保持部３１ｂｅとを有している。
【００３７】
第１保持部３１ｂｂは、断面視において凹状の部分である。第１保持部３１ｂｂは、フィルタリング３１の外周面３１ｂの、光軸Ｘ方向において像面側の端部に設けられている。
【００３８】
傾斜面３１ｂａは、光軸Ｘ方向において被写体側から像面側に向かって下方に傾斜している。
【００３９】
凸面３１ｂｃは、傾斜面３１ｂａの被写体側に隣接配置された円筒状の面である。凸面３１ｂｃは、光軸Ｘ方向において、フィルタリング３１のほぼ中央に設けられている。
【００４０】
第２保持部３１ｂｄは、断面視において凹状の部分である。第２保持部３１ｂｄは、凸面３１ｂｃの、光軸Ｘ方向において被写体側に隣接する位置に設けられている。第２保持部３１ｂｄと後述の保持部３１ｂｅとの間には、凸部１３１ｂｄが設けられている。
【００４１】
保持部３１ｂｅは、断面視において凹状の部分である。保持部３１ｂｅは、フィルタリング３１の外周面３１ｂの、光軸Ｘ方向において被写体側の端部に設けられている。保持部３１ｂｅは、凹状の部分の底面に相当する面に、摺動部材３２ｂを保持している。
【００４２】
２−３．レンズフードの構成
レンズフード３０は、図５に示すように、円筒状の部材である。レンズフード３０は、１群ユニット１１の光軸Ｘ方向における被写体側の先端部分に、フィルタリング３１を介して設けられている。レンズフード３０は、撮影時の不要光の入射を抑制する。
【００４３】
図６はレンズフード３０が収納位置にある状態を示す。図７はレンズフードが使用位置にある状態を示す。使用者は、図７に示すように、レンズフード３０を、光軸Ｘ方向に沿って被写体側へ繰り出しして使用できる。収納位置および使用位置にある状態の、レンズフード３０のレンズ鏡筒１０における保持構造については、後段にて詳述する。
【００４４】
なお、図５、図８Ａおよび図８Ｂに示すように、レンズフード３０の内側の面を、内周面３０ａとする。さらに図８Ａおよび図８Ｂに示すように、内周面３０ａの、光軸Ｘ方向における像面側寄りの部分には、保持部３０ｂが形成されている。保持部３０ｂの形状は、凹状である。すなわち保持部３０ｂは、被写体側に形成された凸部１３０ｂと、像面側に形成された凸部２３０ｂとの間の部分である。保持部３０ｂには、摺動部材３２ａが配置されている。
【００４５】
２−４．摺動部材の構成
図５、図８Ａおよび図８Ｂに示すように、摺動部材３２ａは、円環状の部材である。摺動部材３２ａの材料は、たとえばフェルト材である。摺動部材３２ａは、レンズフード３０の内周面３０ａに設けられている。より具体的には、摺動部材３２ａは、内周面３０ａの保持部３０ｂに配置されている。摺動部材３２ａの一端は、保持部３０ｂに固定されている。
【００４６】
摺動部材３２ｂは、円環状の部材である。摺動部材３２ｂの材料は、たとえばフェルト材である。摺動部材３２ｂは、フィルタリング３１の外周面３１ｂに設けられている。より具体的には、摺動部材３２ｂは、外周面３１ｂの保持部３１ｂｅに設けられている。摺動部材３２ｂの一端は、保持部３１ｂｅに固定されている。
【００４７】
２−５．レンズフードの保持構造
図５に示すように、レンズフード３０は、１群ユニット１１の、光軸Ｘ方向における被写体側の先端部に、フィルタリング３１を介して装着されている。
【００４８】
さらに図６および図７に示すように、レンズフード３０は、光軸Ｘ方向に前後にスライド移動可能な状態で、フィルタリング３１の外周面３１ｂを囲むように配置されている。図６に示すように、レンズフード３０が、光軸Ｘ方向において最も像面側にある位置を、収納位置とする。また図７に示すように、レンズフード３０が、光軸Ｘ方向において収納位置よりも被写体側へ突出した状態の位置を、使用位置とする。レンズフード３０は、図６に示す収納位置と図７に示す使用位置との間を、光軸Ｘ方向に沿ってスライド移動する。レンズフード３０が図７の使用位置にある場合に、レンズフード３０は、レンズ鏡筒１０に内包された光学系（レンズＬ１〜Ｌ１８）に不要光が入射することを防止する。
【００４９】
より詳細には、図６に示す収納位置では、レンズフード３０の被写体側の端部は、フィルタリング３１の被写体側の端部とほぼ同じ位置にある。つまり、図６に示す収納位置では、レンズフード３０は、フィルタリング３１の被写体側の端部から光軸Ｘ方向における被写体側へ突出していない。
【００５０】
一方、図７に示す使用位置では、レンズフード３０の被写体側の端部は、フィルタリング３１の被写体側の端部よりも、光軸Ｘ方向における被写体側へ移動している。つまり、図７に示す使用位置では、レンズフード３０は、フィルタリング３１よりも光軸Ｘ方向における被写体側へ突出した状態となる。
【００５１】
これにより、図７に示す使用位置では、レンズフード３０によって、１群ユニット１１が保持しているレンズＬ１等に対する不要光の入射を抑制することができる。すなわち、円筒状のレンズフード３０が光軸Ｘ方向における被写体側へ突出して、１群ユニット１１が保持しているレンズＬ１の被写体側の空間を側方から覆っている。これによりレンズフード３０は、レンズＬ１等の光学系への不要光の入射を抑制することができる。
【００５２】
レンズフード３０は、内周面３０ａに設けられた円環状の摺動部材（本開示に係る摺動部材）３２ａがフィルタリング３１の外周面３１ｂに当接した状態で、光軸Ｘ方向において前後に移動する。すなわち摺動部材３２ａは、フィルタリング３１の外周面３１ｂ（傾斜面３１ｂａ等）に当接した状態で、レンズフード３０とともに光軸Ｘ方向において前後に移動する。また、レンズフード３０側が光軸Ｘ方向において前後に移動する際、摺動部材３２ｂは、レンズフード３０の内周面３０ａに当接した状態である。これにより、光軸Ｘ方向において、レンズフード３０を静かにスライド移動させることができる。
【００５３】
以下、収納位置と使用位置のそれぞれにおいて、レンズフード３０がフィルタリング３１に保持されている構造について説明する。
【００５４】
収納位置のレンズフード３０とフィルタリング３１との構成は、図８Ａに示されている。レンズフード３０の保持部３０ｂには、摺動部材３２ａの一端が固定されている。摺動部材３２ａの他端は、フィルタリング３１の第１保持部３１ｂｂの凹状の部分に嵌合した状態で保持されている。
【００５５】
一方で、摺動部材３２ｂの一端は、前述のとおり、フィルタリング３１の保持部３１ｂｅに固定されている。
【００５６】
隙間部Ｓ１は、レンズフード３０の内周面３０ａとフィルタリング３１の外周面３１ｂとの間に形成される円筒状の空間である。そして、隙間部Ｓ１は、レンズフード３０が、収納位置にある状態で形成される。
【００５７】
ここで、レンズフード３０が収納位置にある状態における、レンズフード３０の内周面３０ａとフィルタリング３１との外周面３１ｂとの間隔について、説明する。間隔とは、光軸Ｘ方向に垂直な方向における最短距離を示す。
【００５８】
摺動部材３２ａが位置する部分におけるレンズフード３０の内周面３０ａと、フィルタリング３１の外周面３１ｂとの間隔を、間隔Ｈ１とする。すなわち間隔Ｈ１は、保持部３０ｂと第１保持部３１ｂｂとの間隔である。また内周面３０ａと、凸面３１ｂｃが位置する部分における外周面３１ｂとの間隔を、間隔Ｈ２とする。間隔Ｈ１と間隔Ｈ２との関係は、以下の関係式（１）を満たす。
【００５９】
Ｈ１＞Ｈ２  ・・・・・（１）
すなわち、隙間部Ｓ１の一部は、図８Ａに示すように、フィルタリング３１の外周面３１ｂに形成された傾斜面３１ｂａによって、光軸Ｘ方向における被写体側に向かって隙間が小さくなるように形成されている。
【００６０】
さらに、レンズフード３０の内周面３０ａと、第２保持部３１ｂｄが位置する部分における間隔を、間隔Ｈ３とする。間隔Ｈ１と間隔Ｈ３との関係は、以下の関係式（２）を満たす。
【００６１】
Ｈ１≒Ｈ３  ・・・・・（２）
すなわち、間隔Ｈ１と間隔Ｈ３とは、ほぼ同等の大きさである。
【００６２】
ここで、レンズフード３０を図８Ａに示す収納位置から図８Ｂに示す使用位置へスライド移動させるとする。
【００６３】
まず、レンズフード３０の移動に伴い、摺動部材３２ａは、レンズフード３０とフィルタリング３１と間隔が間隔Ｈ１である位置から、間隔Ｈ１より狭い間隔Ｈ２の位置へ移動する。このとき、摺動部材３２ａは、フィルタリング３１の外周面３１ｂに当接しながら移動する。また摺動部材３２ａは、摺動部材３２ａの径方向において圧縮する力を受け、変形しながら移動する。
【００６４】
そして、レンズフード３０をさらに被写体側へ移動させると、摺動部材３２ａは凸面３１ｂｃを乗り越えて、第２保持部３１ｂｄへ嵌まり込む。すなわち、レンズフード３０が図８Ｂに示す使用位置に移動し、摺動部材３２ａは、第２保持部３１ｂｄの凹状の部分に嵌合された状態で保持される。
【００６５】
これにより、レンズフード３０は、図８Ｂに示す使用位置において保持される。また間隔Ｈ３は間隔Ｈ２よりも大きいため、使用者は、レンズフード３０が使用位置に移動したことを操作感で認識することができる。
【００６６】
さらに摺動部材３２ａは、図８Ａに示す収納位置と図８Ｂに示す使用位置とにおいて、ほぼ同じ大きさの間隔Ｈ１および間隔Ｈ３の隙間に保持される。よって、摺動部材３２ａは、図８Ａに示す収納位置と図８Ｂに示す使用位置とにおいて、大きな圧縮力を受けることなく、レンズフード３０を保持することができる。
【００６７】
なお、本実施形態では、レンズフード３０が図８Ｂに示す使用位置にある場合に、摺動部材３２ａと、第２保持部３１ｂｄを構成する凸部１３１ｂｄとが接触する。そしてレンズフード３０の保持部３０ｂを構成する凸部１３０ｂと、フィルタリング３１の凸部１３１ｂｄとは、接触しない。これにより、レンズフード３０を使用位置に移動させる際の操作音を低減できる。
【００６８】
なお、保持部３１ｂｅに保持された摺動部材３２ｂは、レンズフード３０が光軸Ｘ方向において前後にスライド移動する際に、レンズフード３０の内周面３０ａに当接した状態で内周面３０ａ側からレンズフード３０を支持する。
【００６９】
３．効果等
比較例として、レンズフードに設けたガイド溝と、リングに設けた弾性突起によってレンズフードを保持する構造が挙げられる。しかし、カメラで撮影する際に、使用者は移動しながら撮影する場合もある。このような場合には、レンズ鏡筒１０を周辺物にぶつけてしまうことがある。また、カメラを運搬する際に、使用者がカメラを落下させてしまう場合もある。これによりレンズ鏡筒１０は、光軸Ｘ方向を回転軸とした回転方向や、光軸Ｘ方向など、種々の方向の衝撃を受けることがある。このような場合、比較例の構成では、ガイド溝や弾性突起に負荷が集中するという課題がある。すなわち比較例のレンズ鏡筒やカメラの衝撃に対する強度は、低くなる場合がある。
【００７０】
これに対し本実施形態では、レンズフード３０の内周面３０ａ側に設けられており、レンズフード３０が収納位置から使用位置へ移動すると、フィルタリング３１の外周面３１ｂに接触した状態で、光軸Ｘ方向において被写体側へ移動する摺動部材３２ａを備えている。さらに、本実施形態では、隙間部Ｓ１の少なくとも一部は、レンズフード３０が収納位置にある状態において、レンズフード３０の内周面３０ａとフィルタリング３１の外周面３１ｂとの間には、光軸Ｘ方向において被写体側に向かって間隔が狭くなっている。すなわち本実施形態では、隙間部Ｓ１で摺動部材３２ａをその径方向に圧縮させることで、レンズフード３０をフィルタリング３１に保持している。これにより例えば光軸Ｘ方向を回転軸とした回転方向への衝撃や、光軸Ｘ方向への衝撃が加わっても、応力負荷を摺動部材３２ａ全体で分散できる。その結果、レンズ鏡筒１０の強度を向上できる。またガイド溝を設けなくてもよく、製造コストを削減できる。また弾性突起を設けなくてもよく、部品点数を削減できる。
【００７１】
さらに本実施形態では、傾斜面３１ｂａを設けている。これにより、隙間部Ｓ１の間隔を、光軸Ｘ方向の像面側から被写体側に向かって徐々に狭くできる。
【００７２】
さらに本実施形態では、フィルタリング３１の外周面３１ｂに、凹部としての第２保持部３１ｂｄが形成されている。摺動部材３２ａは、レンズフード３０が使用位置にある状態において、第２保持部３１ｂｄに嵌まり込む。これにより本実施形態では、使用位置における摺動部材３２ａの位置が安定する。
【００７３】
さらに本実施形態では、間隔Ｈ１と間隔Ｈ３とがほぼ同等の大きさである。これにより本実施形態では、レンズフード３０が収納位置にある場合と、レンズフード３０が使用位置にある場合の両方の場合において、摺動部材３２ａが受ける圧縮力を低減できる。これにより摺動部材３２ａの経時劣化を抑制できる。
【００７４】
また間隔Ｈ２よりも間隔Ｈ３は大きい。したがって使用者は、レンズフード３０を収納位置から使用位置へ移動させる際に、レンズフード３０が使用位置へ到達したことを操作感で認識できる。
【００７５】
また、本実施形態では、摺動部材３２ａおよび摺動部材３２ｂの材料としてフェルト材を用いている。ここで、フェルト材は、耐摩耗性、耐久性、耐衝撃性等に優れている。このため、レンズフード３０を繰り返し収納位置と使用位置との間でスライド移動させた場合でも、摺動部材３２ａおよび摺動部材３２ｂが摩耗や変形、破損等することを抑制できる。
【００７６】
さらに、摺動部材３２ａおよび摺動部材３２ｂの材料として、フェルト材を用いていることで、レンズフード３０を収納位置と使用位置との間においてスライド移動させる際に生じる操作音を抑制する消音効果も得ることができる。よって、金属製のレンズフード３０を、同じく金属製のフィルタリング３１の外周面側においてスライド移動させた場合でも、金属製の部品同士が接触して生じる操作音を低減することができる。
【００７７】
ここで、虫や鳥等の動物を被写体とする場合、わずかな操作音でも被写体が逃げてしまう場合がある。操作音を低減することで、種々の被写体を撮影しやすくなる。
【００７８】
また本実施形態では、摺動部材３２ａおよび摺動部材３２ｂの二つの部材でレンズフード３０を保持できる。したがって、レンズフード３０のガタツキを抑えることができ、レンズフード３０を安定してフィルタリング３１に保持できる。
【００７９】
４．他の実施形態
以上、本開示の一実施形態について説明したが、本開示は上記実施形態に限定されるものではなく、開示の要旨を逸脱しない範囲で種々の変更が可能である。
【００８０】
（Ａ）
上記実施形態では、レンズフード３０の内周面３０ａとフィルタリング３１の外周面３１ｂとの間に、フェルト材によって構成された摺動部材３２ａおよび摺動部材３２ｂが配置されている状態で、レンズフード３０をフィルタリング３１に対してスライド移動させる例を挙げた。しかし、本開示はこれに限定されるものではない。
【００８１】
例えば、図９に示すように、レンズ鏡筒１０は、フィルタリング３１の外周面３１ｂの、被写体とは反対寄りの位置に、ゴムリング３３が配置された構成でもよい。ゴムリング３３によって、レンズフード３０の移動時における消音効果をさらに増幅させることができる。
【００８２】
（Ｂ）
上記実施形態では、レンズフード３０の内周面３０ａとフィルタリング３１の外周面３１ｂとの間に、２つの円環状の摺動部材３２ａおよび摺動部材３２ｂが配置されている例を挙げた。しかし、本開示はこれに限定されるものではない。
【００８３】
例えば、レンズフード３０の内周面３０ａとフィルタリング３１の外周面３１ｂとの間に設けられる摺動部材の数は、１つでもよいし、３つ以上であってもよい。
【００８４】
摺動部材の数を１つとする場合には、上記実施形態の摺動部材３２ａのみを用いることが好ましい。
【００８５】
（Ｃ）
上記実施形態では、レンズフード３０の内周面３０ａとフィルタリング３１の外周面３１ｂとの間に、同じフェルト材によって構成された摺動部材３２ａおよび摺動部材３２ｂが配置されている例を挙げた。しかし、本開示はこれに限定されるものではない。
【００８６】
例えば、２つの摺動部材を異なる素材によって構成してもよい。フェルト材以外の材料としては、すべりをよくするためのコーティングが施された、ゴムおよびスポンジ等が挙げられる。
【００８７】
（Ｄ）
上記実施形態では、レンズフード３０の内周面３０ａとフィルタリング３１の外周面３１ｂとの間に、２つの円環状の摺動部材３２ａおよび摺動部材３２ｂが配置されている例を挙げた。しかし、本開示はこれに限定されるものではない。
【００８８】
例えば、摺動部材３２ａおよび摺動部材３２ｂの形状は円環状に限らない。摺動部材３２ａおよび摺動部材３２ｂの構造は、複数の円弧状の部材が組み合わされた構造でもよい。
【００８９】
（Ｅ）
上記実施形態では、フィルタリング３１の外周面３１ｂ側に設けられた傾斜面３１ｂａを含む凹凸によって、条件式（１）および条件式（２）を満たす隙間部Ｓ１が構成されている例を挙げた。しかし、本開示はこれに限定されるものではない。
【００９０】
例えば、フィルタリング３１の外周面３１ｂに対向するレンズフード３０の内周面３０ａに凹凸を設けて、条件式（１）および条件式（２）を満たす隙間部Ｓ１を構成してもよい。
【００９１】
あるいは、レンズフード３０の内周面３０ａおよびフィルタリング３１の外周面３１ｂの双方に設けられた凹凸によって、条件式（１）および条件式（２）を満たす隙間部Ｓ１を構成してもよい。
【００９２】
（Ｆ）
さらに図１０に、他の実施形態として、レンズフード３０が収納位置にある状態において、摺動部材３２ａが傾斜面３１ｂａと接触する構成を示す。このように摺動部材３２ａの一部が傾斜面３１ｂａと接触することで、収納位置でのレンズフード３０のガタツキを押さえる事ができる。ガタツキを押さえることで、レンズフード３０やフィルタリング３１の機械的な劣化を抑えるとともに、消音効果を得ることができる。
【００９３】
ここで図１０に示す形態において、傾斜面３１ｂａの、光軸Ｘ方向における幅を幅Ｗ１とする。また凸面３１ｂｃを構成する領域の外周面３１ｂの、光軸Ｘ方向における幅を幅Ｗ２とする。幅Ｗ１と幅Ｗ２とは、以下の条件式（３）を満たす事が好ましい。
【００９４】
Ｗ１＜Ｗ２  ・・・・・（３）
すなわち、幅Ｗ１を幅Ｗ２よりも小さくし、傾斜面３１ｂａの光軸Ｘ方向に対する角度を大きくしている。これにより摺動部材３２ａに適度な圧縮力をかけることができる。その結果、レンズフード３０が安定して保持される。
【００９５】
（Ｇ）
本開示の先端部材とは、フィルタリング３１と１群ユニット１１とを含む。本実施形態では、フィルタリング３１と１群ユニット１１とは、それぞれ分離可能であるが、前述のとおり、フィルタリング３１と１群ユニット１１とは一体形成されていてもよい。
【産業上の利用可能性】
【００９６】
本開示のレンズ鏡筒は、強度面の負荷を低減することができる。したがって、被写体側の先端部分にレンズフードが繰り出し可能な状態で装着されたレンズ鏡筒に対して広く適用可能である。
【符号の説明】
【００９７】
１０    レンズ鏡筒
１１    １群ユニット（先端部材）
１１ａ    ねじ部
１２    ２群ユニット
１３    カム枠
１４    固定枠
１５    ３群ユニット
１６    ４群ユニット
１７    ５群ユニット
１８    マウントベース
１９    外装ユニット
２０    後枠
２１    三脚座
２２    三脚ロックねじ
３０    レンズフード
３０ａ    内周面
３０ｂ    保持部
１３０ｂ    凸部
２３０ｂ    凸部
３１    フィルタリング（先端部材）
３１ａ    内周面
３１ａａ    ねじ部
３１ｂ    外周面
３１ｂａ    傾斜面
３１ｂｂ    第１保持部
３１ｂｃ    凸面
３１ｂｄ    第２保持部（凹部）
１３１ｂｄ    凸部
３１ｂｅ    保持部
３２ａ    摺動部材（摺動部材）
３２ｂ    摺動部材
５０    カメラ本体
１００    カメラ
Ｈ１〜Ｈ３    間隔
Ｗ１，Ｗ２    幅
Ｌ１〜Ｌ１８    レンズ
Ｓ１    隙間部
【図１】
2017120386.tif 000003
【図２Ａ】
2017120386.tif 000004
【図２Ｂ】
2017120386.tif 000005
【図３Ａ】
2017120386.tif 000006
【図３Ｂ】
2017120386.tif 000007
【図４】
2017120386.tif 000008
【図５】
2017120386.tif 000009
【図６】
2017120386.tif 000010
【図７】
2017120386.tif 000011
【図８Ａ】
2017120386.tif 000012
【図８Ｂ】
2017120386.tif 000013
【図９】
2017120386.tif 000014
【図１０】
2017120386.tif 000015